(57)【要約】【課題】簡易な構造でコスト高を招くことなく、虫やホコリ等の侵入に対応できる照明器具を提供する。【解決手段】本発明の照明器具１０Ａでは、器具本体２０に収容された光源部３０が、器具本体２０の支持部２１に挟持されている導光板４０の端面４４に対面している。光源部３０から発せられた光は、導光板４０の端面４４から導光板４０に入射し、導光板４０から出射する光により照明する。導光板４０を支持する支持部２１は、導光板４０の表面４１における光源部側に第１当接面２２１が面当接する第１挟持部２２と、導光板４０の裏面４２における光源部側に第２当接面２３１が面当接する第２挟持部２３とを有する。第２挟持部２３の一部は、表面４１側から導光板４０を厚み方向に透過して露呈可能な露呈領域Ｒ１を有する。そして、導光板４０の裏面４２と露呈領域Ｒ１との間に、露呈領域Ｒ１を覆う膜部材２４を設けた。これにより、露呈領域Ｒ１と導光板４０との間に侵入した虫や埃等を膜部材２４により隠すことができ、外観を改善することができる。【選択図】図１
2015141865.tif 000002
【特許請求の範囲】
【請求項１】
器具本体と、
前記器具本体に収容された光源部と、
前記光源部からの光を導光するとともに、前記器具本体の支持部に挟持される導光板と、を備え、
前記支持部は、
前記導光板の表面に、第１当接面が面当接して設けられた第１挟持部と、
前記導光板の裏面に、第２当接面が面当接して設けられた第２挟持部と、
前記表面側から前記導光板を厚み方向に沿って透過して前記第２挟持部の一部が露呈可能な露呈領域と、
前記導光板の前記裏面と前記露呈領域との間に配置されて前記露呈領域を覆う膜部材とを有する照明器具。
【請求項２】
請求項１に記載の照明器具において、
前記膜部材は、
前記裏面における前記光源部とは反対側の端部側に塗布された不透過層と、
前記不透過層に積層する粘着層と、
前記粘着層を介して前記不透過層に粘着するとともに前記露呈領域に対応する不透過のシートとを備える照明器具。
【請求項３】
請求項１または請求項２に記載の照明器具において、
前記裏面と、前記第２当接面との間の隙間を覆う凸部が前記導光板の前記裏面に設けられている照明器具。
【発明の詳細な説明】
【技術分野】
【０００１】
本発明は、虫や埃等の侵入に対応できる照明器具に関するものである。
【背景技術】
【０００２】
従来、侵入した昆虫等の虫を捕虫する照明器具が知られている（例えば、特許文献１参照）。
図５（Ａ）および図５（Ｂ）に示すように、特許文献１に記載の照明器具（シーリングライト）１００では、器具本体１０１と、光源である蛍光灯１０２と、透光部材であるグローブ１０３ を有しており、器具本体１０１の上面部分が天井に取付けられる。
グローブ１０３の上面には、３カ所に捕虫部品１０４が設けられている。捕虫部品１０４は、昆虫等の害虫を誘引して捕獲するものであり、グローブ１０３の上面側の３箇所に設けられた差込穴（図示省略）に差込まれて、グローブ１０３に取付けられている。この捕虫部品１０４は、透光性を有しており、蛍光灯１０２からの光を透過するようになっている。
【０００３】
捕虫部品１０４は、昆虫が侵入する開口部１０５を有しており、開口部１０５と反対側の末端部（底部）が封鎖された略円筒形状の袋状の構造をしている。一般に、昆虫は光に誘引される習性を持っているので、捕虫部品１０４は、グローブ１０３を透過する光よりも誘虫性の高い光を透過するようになっており、照明器具１００の近傍に飛来する昆虫を引き寄せるようになっている。
また、捕虫部品１０４内部の途中部分には、侵入した昆虫が脱出するのを防止する退路制限具（図示省略）が配置されている。
【０００４】
従って、照明器具１００の近傍を飛来する昆虫は、捕虫部品１０４を透過する光に誘引されて、捕虫部品１０４の開口部１０５に引き寄せられる。捕虫部品１０４によりとらえられた虫は、退路制限具により退路が制限されるので、捕虫部品１０４から脱出できない。
【先行技術文献】
【特許文献】
【０００５】
【特許文献１】特開２００５−１００８０９号公報（第１図）
【発明の概要】
【発明が解決しようとする課題】
【０００６】
しかしながら、前述したような特許文献１に記載の照明器具においては、虫を収容する捕虫部品等を設ける必要があるため、構造が複雑になるとともに、コスト高を招くという問題があった。
【０００７】
本発明は、従来の問題を解決するためになされたもので、簡易な構造でコスト高を招くことなく、虫やホコリ等の侵入に対応できる照明器具を提供することを目的とする。
【課題を解決するための手段】
【０００８】
本発明の照明器具は、器具本体と、前記器具本体に収容された光源部と、前記光源部からの光を導光するとともに、前記器具本体の支持部に挟持される導光板と、を備え、前記支持部は、前記導光板の表面に、第１当接面が面当接して設けられた第１挟持部と、前記導光板の裏面に、第２当接面が面当接して設けられた第２挟持部と、前記表面側から前記導光板を厚み方向に沿って透過して前記第２挟持部の一部が露呈可能な露呈領域と、前記導光板の前記裏面と前記露呈領域との間に配置されて前記露呈領域を覆う膜部材とを有するものである。
【０００９】
また、本発明の照明器具では、前記膜部材は、前記裏面における前記光源部とは反対側の端部側に塗布された不透過層と、前記不透過層に積層する粘着層と、前記粘着層を介して前記不透過層に粘着するとともに前記露呈領域に対応する不透過のシートとを備えるものである。
【００１０】
さらに、本発明の照明器具は、前記裏面と、前記第２当接面との間の隙間を覆う凸部が前記導光板の前記裏面に設けられているものである。
【発明の効果】
【００１１】
本発明は、導光板の裏面と露呈領域との間に、露呈領域を覆う膜部材を設けたので、導光板を通して見える露呈領域と導光板との間に侵入した虫や埃等を膜部材により隠すことができる。これにより、簡易な構造でコスト高を招くことなく外観を改善することができるという効果を有する照明器具を提供できる。
【図面の簡単な説明】
【００１２】
【図１】本発明に係る第１実施形態の照明器具を中心で切断した断面図
【図２】図１中ＩＩ部分の拡大図
【図３】本発明に係る第２実施形態の照明器具を中心で切断した図２相当の断面図
【図４】本発明に係る第３実施形態の照明器具を中心で切断した図２相当の断面図
【図５】（Ａ）は従来の照明器具の平面図で有り、（Ｂ）は断面図
【発明を実施するための形態】
【００１３】
（第１実施形態）
以下、本発明に係る第１実施形態の照明器具について、図面を用いて説明する。なお、以下の説明においては、天井面１１に取り付けた状態で、天井面１１側を「上」、照明側（床側）を「下」として説明する。
図１に示すように、実施形態の照明器具１０Ａは、例えば天井面１１に取り付けて、主に下方を照明するシーリングライトに適用することができる。
【００１４】
照明器具１０Ａは、平面視の中央に筒状の器具本体２０を上下方向に有する。器具本体２０は、円筒形状や多角形筒状とすることができる。
器具本体２０の外周面２０１には、光源部３０が設けられている。光源部３０は、器具本体２０の外周面２０１に取り付けられる基板３１と、基板３１に実装されるＬＥＤ３２を有する。基板３１は器具本体２０の全周にわたって取り付けられており、複数個のＬＥＤ３２が所定間隔で全周に設けられている。
【００１５】
器具本体２０には、支持部２１が設けられており、支持部２１は導光板４０を支持する。
導光板４０は、中心部に開口部４３を有する円板状の部材であり、開口部４３に面する端面４４は、光源部３０のＬＥＤ３２に対面する。開口部４３は、器具本体２０の形状に対応して円形や多角形とすることができる。あるいは、器具本体２０の形状にかかわらず円形とすることもできる。
【００１６】
支持部２１は、導光板４０の下面（表面）４１に当接する円板状の第１挟持部２２と、導光板４０の上面（裏面）４２に当接する円板状の第２挟持部２３を有する。
第１挟持部２２の上面である第１当接面２２１は、導光板４０の下面４１における光源部３０側（すなわち、中心側）に当接する。また、第２挟持部２３の下面である第２当接面２３１は、導光板４０の上面４２における光源部３０側に当接する。これにより、導光板４０は支持部２１により支持される。
【００１７】
第１挟持部２２と第２挟持部２３とは平行に設けられており、導光板４０からの光を多く下方へ照射するために、第１挟持部２２の外径は第２挟持部２３の外径よりも小さく設定されている。
従って、照明器具１０Ａを下方から見ると、第１挟持部２２の外側に第２挟持部２３の外周部が突出しており、この第２挟持部２３の外周部は、導光板４０を通して下方に露呈する露呈領域Ｒ１を形成する。
導光板の上面４２と露呈領域Ｒ１との間には、露呈領域Ｒ１を覆う膜部材２４が設けられている。
【００１８】
図２に示すように、膜部材２４は、導光板４０の上面４２における光源部３０とは反対側、すなわち外側の端部側に塗布された不透過層２５を有する。不透過層２５は、導光板４０の上面４２に塗装や印刷（シルク印刷）を施すことにより設けることができる。不透過層２５の下面は白色系で処理されており、導光板４０から上向きに発せられて不透過層２５に照射された光は、下方へ反射される。
また、膜部材２４では、不透過層２５に粘着層２６が積層されており、不透過のシート２７が粘着層２６を介して不透過層２５に粘着されている。
【００１９】
粘着層２６を導光板４０の上面４２に積層する際には、粘着層２６内に気泡が生じるおそれがある。このため、導光板４０の上面４２に不透過層２５を設けており、粘着層２６に発生した気泡は、不透過層２５の存在により、下方から導光板４０を通して見えないようになっている。
シート２７は、露呈領域Ｒ１に対応しており、露呈領域Ｒ１と同じ幅を有するリング形状を呈している。シート２７は、外周側端部のみが粘着層２６により不透過層２５に粘着されているが、粘着層２６および不透過層２５をシート２７の幅全域に設けることも可能である。
シート２７は不透過の部材であるため、シート２７より上側にあるものは、下方から導光板４０を通して見ることはできない。
【００２０】
照明器具１０Ａの作用効果について説明する。
照明器具１０Ａでは、器具本体２０に収容された光源部３０が、器具本体２０の支持部２１に挟持されている導光板４０の端面４４に対面している。従って、光源部３０から発せられた光は、導光板４０の端面４４から導光板４０に入射し、導光板４０から出射する。この出射光により照明する。
導光板４０を支持する支持部２１は、導光板４０の下面４１における光源部３０側に第１当接面２２１が面当接する第１挟持部２２と、導光板４０の上面４２における光源部３０側に第２当接面２３１が面当接する第２挟持部２３とを有する。従って、第１挟持部２２と第２挟持部２３とで導光板４０を挟持することにより、導光板４０を支持する。
【００２１】
第２挟持部２３の一部は、下方から導光板４０を厚み方向に沿って透過して露呈可能な露呈領域Ｒ１を形成する。
そして、導光板４０の上面４２と露呈領域Ｒ１との間に、露呈領域Ｒ１を覆う膜部材２４を設けた。
これにより、導光板４０を通して見える露呈領域Ｒ１と導光板４０の上面４２との間に侵入した虫や埃等を、膜部材２４により隠すことができるので、簡易な構造によりコスト高を招くことなく外観を改善することができる。
また、虫等が導光板４０を通して下方から見えないので、導光板４０の下面４１を支持する第１挟持部２２の大きさを設定する自由度が増し、光束の低下やデザインの制約を減少させることができる。
【００２２】
また、膜部材２４は、導光板４０の上面４２における光源部３０とは反対側（すなわち外側）の端部側に塗布された不透過層２５と、この不透過層２５に積層する粘着層２６と、粘着層２６を介して不透過層２５に粘着する不透過のシート２７とを有する。シート２７は、露呈領域Ｒ１に対応しており、露呈領域Ｒ１の全域を覆っている。
これにより、導光板４０を通して見える露呈領域Ｒ１と導光板４０の上面４２との間に侵入した虫や埃等を、確実に隠すことができる。
【００２３】
なお、シート２７の貼付は、塗装・印刷に比して、光束の低下を減少することができるが、シート２７を貼付ける粘着層２６に気泡が発生することがあり、明暗ムラが生じる場合がある。
このため、導光板４０の上面４２に不透過層２５を設けて粘着層２６に発生する気泡を隠すので、外観を改善することができる。
【００２４】
（第２実施形態）
次に、第２実施形態の照明器具を説明する。なお、前述した第１実施形態の照明器具１０Ａと共通する部位には同じ符号を付して、重複する説明を省略することとする。
図３に示すように、第２実施形態の照明器具１０Ｂでは、導光板４０の上面４２に、上面４２と、支持部２１の第２挟持部２３に設けられている第２当接面２３１との間の隙間を覆う凸部４５を設けた。凸部４５は、膜部材２４の外側において、全周にわたって設けられており、上端が器具本体２０の第２挟持部２３に当接する高さを有するのが望ましい。
【００２５】
凸部４５の形状は特に限定するものではないが、ここでは、第２挟持部２３の外周面２３２が、上に向かって拡径するように傾斜しているので、凸部４５の先端が外周面２３２に当接している。
凸部４５は、導光板４０と一体的に設けることができるが、導光板４０の上面４２に後から貼付けることも可能である。
【００２６】
照明器具１０Ｂの作用効果について説明する。
照明器具１０Ｂでは、導光板４０の上面４２に、導光板４０の上面４２と器具本体２０の支持部２１の第２当接面２３１との間の隙間を覆う凸部４５を設けた。
これにより、支持部２１と導光板４０の上面４２との間に、虫や埃等が侵入するのを防止することができ、簡易な構造によりコスト高を招くことなく外観を改善することができる。
【００２７】
（第３実施形態）
次に、第３実施形態の照明器具を説明する。なお、前述した第１実施形態の照明器具１０Ａまたは第２実施形態の照明器具１０Ｂと共通する部位には同じ符号を付して、重複する説明を省略することとする。
図４に示すように、第３実施形態の照明器具１０Ｃでは、前述した第１実施形態の照明器具１０Ａおよび第２実施形態の照明器具１０Ｂとは異なり、支持部２１の第１挟持部２２と第２挟持部２３の外径が略等しい。
このため、前述した露呈領域Ｒ１が形成されない。
【００２８】
一方、第１挟持部２２には、導光板４０からの光を下方へ照射するための光照射用透過部２２２が設けられている。光照射用透過部２２２の形状は特定するものではないが、例えば、円形の光照射用透過部２２２を複数個設けたり、扇形状の光照射用透過部２２２を複数個設けることもできる。
光照射用透過部２２２は、導光板４０からの光を透過するものであるため、導光板４０を通して第２挟持部２３が下方から見える露呈領域Ｒ２が形成される。
【００２９】
従って、導光板４０の上面４２と第２挟持部２３との間に虫等が侵入して、露呈領域Ｒ２に虫等がとどまると下方から見えてしまう。
このため、導光板４０の上面４２で、露呈領域Ｒ２に対応する部分には、第１実施形態の照明器具１０Ａおよび第２実施形態の照明器具１０Ｂにおいて前述した膜部材２４を設けた。
【００３０】
本発明の照明器具１０Ｃの作用効果について説明する。
この照明器具１０Ｃでは、第１挟持部２２に光照射用透過部２２２を設けたので、照明器具１０Ｃの中央部付近からも導光板４０からの光を下方へ照射することができ、照明効率が向上する。
また、光照射用透過部２２２により形成される露呈領域Ｒ２に対応して膜部材２４を設けたので、導光板４０の上面４２と第２挟持部２３との間に虫等が侵入して露呈領域Ｒ２に虫等がとどまっても、下方から見えない。
これにより、簡易な構造によりコスト高を招くことなく外観を改善することができるとともに、導光板４０の下面４１を支持する第１挟持部２２の大きさを設定する自由度が増し、光束の低下やデザインの制約を減少させることができる。
【００３１】
本発明の照明器具は、前述した各実施形態に限定されるものでなく、適宜な変形、改良等が可能である。
例えば、前述した各実施形態においては、光源部３０としてＬＥＤ３２を用いる場合について例示したが、これに限るものではない。蛍光灯等のその他の光源を用いることも可能である。
【符号の説明】
【００３２】
１０Ａ、１０Ｂ、１０Ｃ  照明器具
２０  器具本体
２１  支持部
２２  第１挟持部
２２１  第１当接面
２３  第２挟持部
２３１  第２当接面
２４  膜部材
２５  不透過層
２６  粘着層
２７  シート
３０  光源部
４０  導光板
４１  下面（表面）
４２  上面（裏面）
４４  端面
４５  凸部
Ｒ１、Ｒ２  露呈領域
【図１】
2015141865.tif 000003
【図２】
2015141865.tif 000004
【図３】
2015141865.tif 000005
【図４】
2015141865.tif 000006
【図５】
2015141865.tif 000007